(57)【要約】【課題】設置面に穴を開けずに、横滑りや転倒を防ぐように設置できる組立式建物を提供する。【解決手段】組立式建物１０は、建物基体１２と、建物基体１２に載せる建物本体１４を有する。建物基体１０は、組立式建物１０の設置面に用意された滑り止め部材１６と、滑り止め部材１６の上に設置される基台１８を備える。基台１８は、枠４０と、枠４０の内側で枠４０をつなぐ横棒４２を備える。枠４０と横棒４２は、上下に水平フランジ４６，４８を備えるＨ形鋼から構成される。基台１８は、Ｈ形鋼の下側の水平フランジ４８から突き出た板状部材５０をさらに備え、滑り止め部材１６に板状部材５０を押し付けるように重し袋２０が配置される。また、上下の水平フランジ４６，４８の間に重し袋２０が配置されてＨ形鋼を押さえる。重し袋２０は、袋体と、袋体の中に詰められた砂状体を備える。【選択図】図１
2014240542.tif 000002
【特許請求の範囲】
【請求項１】
建物基体と、前記建物基体に載せる建物本体とを有する組立式建物であって、
前記建物基体は、前記組立式建物の設置面に用意された滑り止め部材と、この滑り止め部材上に設置される基台と、この基台を押さえるように基台の内側に配置される重し袋とを備える組立式建物。
【請求項２】
請求項１において、
前記基台は、枠と、前記枠の内側で前記枠をつなぐ横棒とを備え、
前記重し袋が前記枠および前記横棒の少なくとも一方を押さえるように配置された組立式建物。
【請求項３】
請求項２において、
前記重し袋が前記枠および前記横棒の少なくとも一方の上に配置された組立式建物。
【請求項４】
請求項２において、
前記枠および／または前記横棒の少なくとも一部が、上下に水平フランジを備えるＨ形鋼から構成され、
前記上下の水平フランジの間に前記重し袋が配置されて前記Ｈ形鋼を押さえる組立式建物。
【請求項５】
請求項１において、
前記基台は、枠と、前記枠の内側で前記枠をつなぐ横棒とを備え、
前記枠および／または前記横棒の少なくとも一部が、上下に水平フランジを備えるＨ形鋼から構成され、
前記基台は、前記Ｈ形鋼の下側の水平フランジから突き出た板状部材をさらに備え、
前記滑り止め部材に前記板状部材を押し付けるように前記重し袋が配置された組立式建物。
【請求項６】
請求項５において、
前記板状部材の少なくとも一部が、対向して配置された複数の前記Ｈ形鋼の間に掛け渡されている組立式建物。
【請求項７】
請求項１から６のいずれかにおいて、
前記重し袋は、袋体と、袋体の中に詰められた砂状体とを備える組立式建物。
【請求項８】
組立式建物の下部を構成し、建物本体が載せられる建物基体であって、
前記組立式建物の設置面に用意される滑り止め部材と、
前記滑り止め部材上に設置される基台と、
この基台を押さえるように基台の内側に配置される重し袋と、
を有する建物基体。
【請求項９】
組立式建物の下部を構成し、建物本体が載せられる建物基体を、前記組立式建物の設置面に設置する建物基体の設置方法であって、
前記組立式建物の設置面に滑り止め部材を用意し、
この滑り止め部材上に基台を設置し、
この基台を押さえるように基台の内側に重し袋を配置する建物基体の設置方法。
【発明の詳細な説明】
【技術分野】
【０００１】
本発明は、駐車場、建築物の屋上、または駅のプラットホーム等に設置され、組み立ておよび解体を繰り返せる組立式建物、この組立式建物の下部となる建物基体、およびこの建物基体を組立式建物の設置面に設置する建物基体の設置方法に関するものである。
【背景技術】
【０００２】
駐車場やデパートの屋上等で、祭りや演芸などのイベントを開催する場合、仮設の店舗や事務所等が設置されることがある。この仮設店舗等は、組み立てと解体が簡単にできるものが望ましい。解体と移設が容易な建物として、床部、支柱部、および壁体部を乾式工法で構成したものが知られている（特許文献１）。
【０００３】
しかしながら、小規模の仮設店舗は軽量であるため、乾式工法で組み立てて設置面に置いただけでは、強風によって横滑りしたり、転倒したりするおそれがある。アンカーボルト等で仮設店舗を設置面に固定できれば仮設店舗の横滑りや転倒を防げるが、駐車場やデパートの屋上等の上面には穴を開けられない場合がある。
【先行技術文献】
【特許文献】
【０００４】
【特許文献１】特開２００４−２７８１０１号公報
【発明の概要】
【発明が解決しようとする課題】
【０００５】
本発明は、このような事情に鑑みてなされたものであり、設置面に穴を開けずに設置でき、横滑りや転倒を防げる組立式建物、この組立式建物の下部となる建物基体、およびこの建物基体の設置方法を提供することを目的とする。
【課題を解決するための手段】
【０００６】
本発明の組立式建物は、建物基体と、建物基体に載せる建物本体とを有する組立式建物であって、建物基体は、組立式建物の設置面に用意された滑り止め部材と、この滑り止め部材上に設置される基台と、この基台を押さえるように基台の内側に配置される重し袋とを備える。
【０００７】
本発明の組立式建物において、基台は、枠と、枠の内側で枠をつなぐ横棒とを備え、重し袋が枠および横棒の少なくとも一方を押さえるように配置されることが好ましい。また、本発明の組立式建物において、重し袋が枠および横棒の少なくとも一方の上に配置されてもよい。本発明の組立式建物において、枠および／または横棒の少なくとも一部が、上下に水平フランジを備えるＨ形鋼から構成され、上下の水平フランジの間に重し袋が配置されてＨ形鋼を押さえることが好ましい。
【０００８】
本発明の組立式建物において、基台は、枠と、枠の内側で枠をつなぐ横棒とを備え、枠および／または横棒の少なくとも一部が、上下に水平フランジを備えるＨ形鋼から構成され、基台は、Ｈ形鋼の下側の水平フランジから突き出た板状部材をさらに備え、滑り止め部材に板状部材を押し付けるように重し袋が配置されることが好ましい。本発明の組立式建物において、板状部材の少なくとも一部が、対向して配置された複数のＨ形鋼の間に掛け渡されていてもよい。本発明の組立式建物において、重し袋は、袋体と、袋体の中に詰められた砂状体とを備えることが好ましい。
【０００９】
本発明の建物基体は、組立式建物の下部を構成し、建物本体が載せられる建物基体であって、組立式建物の設置面に用意される滑り止め部材と、滑り止め部材上に設置される基台と、この基台を押さえるように基台の内側に配置される重し袋とを有する。
【００１０】
本発明の建物基体の設置方法は、組立式建物の下部を構成し、建物本体が載せられる建物基体を、組立式建物の設置面に設置する方法であって、組立式建物の設置面に滑り止め部材を用意し、この滑り止め部材上に基台を設置し、この基台を押さえるように基台の内側に重し袋を配置する。
【発明の効果】
【００１１】
本発明の組立式建物によれば、設置面に穴を開けずに横滑りや転倒を防げる。また、本発明の建物基体および建物基体の設置方法によれば、設置面に穴を開けずに、横滑りや転倒を防いだ組立式建物を設置できる。
【図面の簡単な説明】
【００１２】
【図１】本発明の第一実施形態の組立式建物の斜視図である。
【図２】本発明の第一実施形態の組立式建物の断面模式図である。
【図３】図１および図２に示す組立式建物の設置工程を示す斜視図である。
【図４】図１および図２に示す組立式建物の設置工程を示す斜視図である。
【図５】図１および図２に示す組立式建物の設置工程を示す斜視図である。
【図６】図１および図２に示す組立式建物の設置工程を示す斜視図である。
【図７】図１および図２に示す組立式建物の設置工程を示す斜視図である。
【図８】図１および図２に示す組立式建物の設置工程を示す斜視図である。
【図９】本発明の第二実施形態の組立式建物の設置工程を示す斜視図である。
【発明を実施するための形態】
【００１３】
以下、本発明の組立式建物、建物基体、および建物基体の設置方法について、図面を参照しながら各実施形態に基づいて説明する。なお、本発明の建物基体は、本発明の組立式建物を構成する部材として説明する。図面は組立式建物、建物基体、組立式建物および建物基体を構成する部材、ならびに組立式建物および建物基体の周辺部材を模式的に表したものであり、これらの実物の寸法および寸法比は、図面上の寸法および寸法比と必ずしも一致していない。また、重複説明は適宜省略し、同一部材には同一符号を付与することがある。
【００１４】
（第一実施形態）
図１は、本発明の実施形態に係る組立式建物１０の斜視図である。図２は、組立式建物１０の断面模式図である。組立式建物１０は、駐車場、建築物の屋上、または駅のプラットホーム等に設置される店舗、事務所、倉庫、または住宅等であり、組み立ておよび解体を繰り返して使用できる。組立式建物１０は、建物基体１２と、建物基体１２に載せる建物本体１４とを備える。すなわち、建物基体１２は、組立式建物１０の下部を構成し、建物本体１４が載せられる。建物基体１２は、滑り止め部材１６と、基台１８と、重し袋２０とを備える。
【００１５】
建物本体１４は、床２２と、壁２４と、出入口２６と、窓２８と、屋根３０とを備える。建物本体１４の構造、形状、および材質等は、特に制限がない。また、建物本体１４が柱や梁等を備えていてもよい。滑り止め部材１６は、組立式建物１０の設置面Ｓに用意される。滑り止め部材１６によって、組立式建物１０の荷重や摩擦による設置面Ｓの損傷、および風等による組立式建物１０の横滑りや転倒が抑えられる。本実施形態では滑り止め部材１６がゴム製のシートからなるが、組立式建物１０の横滑りが抑えられれば、滑り止め部材１６の形状や材質等には特に制限がない。
【００１６】
基台１８は、滑り止め部材１６の上に設置され、枠４０と、横棒４２とを備える。横棒４２は、枠４０の内側で接続部材４４を介して枠４０をつないでいる。枠４０と横棒４２は、上下に水平フランジ４６，４８を備えるＨ形鋼から構成される。本実施形態では、枠４０と横棒４２の全てが上下に水平フランジ４６，４８を備えるＨ形鋼から構成されるが、枠４０の一部のみ、横棒４２の一部のみ、または枠４０の一部および横棒４２の一部が上下に水平フランジ４６，４８を備えるＨ形鋼から構成されていてもよい。また、枠４０および横棒４２は、Ｈ形鋼以外の素材から構成されてもよい。
【００１７】
重し袋２０は、基台１８を押さえるように基台１８の内側に配置される。より詳しくは、重し袋２０が枠４０および横棒４２の少なくとも一方を押さえるように配置されている。さらに詳しくは、上下の水平フランジ４６，４８の間に重し袋２０が配置されてＨ形鋼を押さえている。重し袋２０によって基台１８が設置面Ｓに押し付けられるため、風等による建物基体１２、すなわち組立式建物１０の横滑りや転倒が抑えられる。また、上下の水平フランジ４６，４８の間からはみ出た重し袋２０の一部が滑り止め部材１６の上に載るため、重し袋２０自体も動きにくくなり、より一層、組立式建物１０の横滑りや転倒が抑えられることになる。
【００１８】
また、本実施形態では、基台１８は、Ｈ形鋼の下側の水平フランジ４８から突き出た板状部材５０をさらに備える。板状部材５０は、長方形の薄板形状を有しており、上面に荷重がかかると撓む。板状部材５０は、Ｈ形鋼の下側の水平フランジ４８の上面にボルト等で固定されたり、Ｈ形鋼の下側の水平フランジ４８の側面に接続プレート等を介してボルト等で接続されたりしている。Ｈ形鋼の下側の水平フランジ４８の上面または側面に、板状部材５０を予め溶接しておいてもよい。そして、重し袋２０は、滑り止め部材１６に板状部材５０を押し付けるように配置される。このように、重し袋２０によって、枠４０および横棒４２だけでなく、板状部材５０も設置面Ｓに押し付けられるため、風等による建物基体１２、すなわち組立式建物１０の横滑りや転倒がより抑えられる。
【００１９】
図３から図８は、組立式建物１０の設置工程を説明するための斜視図である。組立式建物１０の設置方法は以下のとおりである。まず、図３に示すように、組立式建物１０の設置面Ｓに滑り止め部材１６を敷く。次いで、図４から図６に示すように、滑り止め部材１６の上に基台１８を設置する。すなわち、図４に示すように、上下に水平フランジ４６，４８を備え、枠４０となるＨ形鋼を対向させて滑り止め部材１６の上に配置し、接続部材４４をＨ形鋼に取り付ける。
【００２０】
そして、図５に示すように、上下に水平フランジ４６，４８を備え、横棒４２となるＨ形鋼の両端を接続部材４４に接続する。接続部材４４の取り付けおよびＨ形鋼の接続部材４４への接続は、ボルトとナットや接続プレート等を用いて行う。こうして、基台１８の枠４０および横棒４２が組み上がる。そして、図６に示すように、板状部材５０を下側の水平フランジ４８に取り付ける。
【００２１】
つぎに、図７に示すように、基台１８を押さえるように基台１８の内側に重し袋２０を配置する。具体的には、枠４０および横棒４２の少なくとも一方を押さえるように、Ｈ形鋼の上下の水平フランジ４６，４８の間に重し袋２０を配置してもよいし、滑り止め部材１６に板状部材５０を押し付けるように、重し袋２０を配置してもよいし、これらの両方を採用してもよい。こうして、建物基体１２が組み上がる。
【００２２】
ここで、重し袋２０は、袋体５２と、袋体５２の中に詰められた砂状体５４とを備える。このため、重し袋２０は変形が容易で、Ｈ形鋼の水平フランジ４６，４８の間に重し袋２０を入れたり、重し袋２０を広げて板状部材５０の上に置いたりすることができる。また、建築物の屋上や駅のプラットホームのように車両が入れない場所に組立式建物１０を設置する場合、袋体５２と、袋体５２の中に詰められた砂状体５４とを備える重し袋２０は、台車等で搬入できるため好ましい。袋体５２の素材としては、綿、麻、ゴム、合成樹脂、合成繊維等が挙げられ、砂状体５４の素材としては、土、砂、砂利、石等が挙げられる。土のうは、運搬、変形、大きさ、および重量等の観点から、重し袋２０として適している。
【００２３】
つぎに、図８に示すように、建物基体１２に建物本体１４を載せて固定する。具体的には、まず、枠４０や横棒４２に床２２を固定する。そして、壁２４、出入口２６、窓２８、および屋根３０が予め組み上がったユニットを、床２２に固定する。これらの固定は、ボルトとナットや接続プレート等を用いて行う。なお、床２２に壁２４を、壁２４に出入口２６および窓２８を、壁２４に屋根３０を順次取り付けて、組立式建物１０を組み立ててもよい。こうして、図１に示すような組立式建物１０が完成する。
【００２４】
（第二実施形態）
図９は、本発明の第二実施形態に係る組立式建物の設置工程を示す斜視図である。本実施形態では、板状部材６０の長さと配置方法が第一実施形態の板状部材５０と異なり、組立式建物のその他の部材は、第一実施形態の組立式建物１０の部材と同じである。すなわち、本実施形態では、枠４０または横棒４２を構成するＨ形鋼が対向して配置され、対向配置されたＨ形鋼の間に板状部材６０が掛け渡されている。板状部材６０の長さは、対向配置された一対の横棒４２を構成するＨ形鋼のウェブ間、または対向配置された枠４０と横棒４２を構成するＨ形鋼のウェブ間の距離とほぼ同じか、これらのウェブ間の距離より少しだけ小さい。板状部材６０の具体的な設置方法は以下のとおりである。
【００２５】
まず、板状部材６０を水平に対して斜め状態で、対向配置されたＨ形鋼の上下の水平フランジ４６，４６，４８，４８の間に水平面で回転させながら差し込み、板状部材６０と対向配置されたＨ形鋼とが上方から見て垂直になるようにする。そして、この垂直関係を維持したまま、板状部材６０を水平にする。こうして、板状部材６０は、対向配置されたＨ形鋼の下側の水平フランジ４８，４８に掛け渡される。この状態では、Ｈ形鋼の下側の水平フランジ４８，４８の上面で、対向配置されたＨ形鋼のウェブの間に板状部材６０が嵌まっている。
【００２６】
したがって、板状部材６０の上に重し袋２０を載せれば、板状部材６０だけでなく、対向配置されたＨ形鋼も滑り止め部材１６に押さえられる。また、本実施形態では、対向配置されたＨ形鋼の間に板状部材６０が嵌まっているので、板状部材６０をＨ形鋼に接続固定しなくてもよい。このように、板状部材６０の少なくとも一部が、対向して配置された複数のＨ形鋼の間に掛け渡されていると、板状部材６０をＨ形鋼に接続固定しなくてもよい場合があるため、組立式建物の組立および解体をより簡単にできる。
【００２７】
以上、各実施形態に基づいて本発明の組立式建物、建物基体、および建物基体の設置方法を説明したが、本発明の組立式建物、建物基体、および建物基体の設置方法は上記実施形態に限定されない。例えば、滑り止め部材は、上記実施形態のように組立式建物の下面全体に設置される必要はなく、枠、横板、および板状部材の下面や、下面とその周辺に設置されるだけでもよい。また、上記実施形態では、枠および横棒を構成するＨ形鋼の上下の水平フランジの間に重し袋が配置されていたが、枠、横棒、または枠と横棒の双方の上に重し袋が配置されていてもよい。
【符号の説明】
【００２８】
１０  組立式建物
１２  建物基体
１４  建物本体
１６  滑り止め部材
１８  基台
２０  重し袋
２２  床
４０  枠
４２  横棒
４４  接続部材
４６，４８  上下の水平フランジ
５０，６０  板状部材
５２  袋体
５４  砂状体
Ｓ  設置面
【図１】
2014240542.tif 000003
【図２】
2014240542.tif 000004
【図３】
2014240542.tif 000005
【図４】
2014240542.tif 000006
【図５】
2014240542.tif 000007
【図６】
2014240542.tif 000008
【図７】
2014240542.tif 000009
【図８】
2014240542.tif 000010
【図９】
2014240542.tif 000011